(57)【要約】【課題】  他のファクシミリ装置から送信されたデータを必要に応じて出力する。【解決手段】  受信部１０２は、複数のページを含むデータを受信する。印刷処理部１１４は、受信部１０２が受信したデータを印刷する。データ記憶部１１２は、受信部１０２が受信したデータを記憶する。判定部１０４は、受信部１０２が受信したデータの一部のみを印刷処理部１１４により印刷する特殊出力を行うか否かを判定するとともに、特殊出力を行う場合に、いずれのページを印刷処理部１１４により印刷するかを判定する。印刷処理部１１４は、判定部１０４の判定に従って印刷を行い、データ記憶部１１２は、少なくとも印刷処理部１１４により印刷されなかったページを記憶する。【選択図】        図１
2005210511.tif 000002
【特許請求の範囲】
【請求項１】
複数のページを含むデータを受信する受信手段と、
前記受信手段が受信したデータを出力する出力手段と、
前記受信手段が受信したデータを記憶する記憶手段と、
前記受信手段が受信したデータの一部のみを前記出力手段により出力する特殊出力を行うか否かを判定するとともに、前記特殊出力を行う場合に、いずれのページを前記出力手段により出力するかを判定する判定手段と、
を含み、
前記出力手段は、前記判定手段の判定に従って出力を行い、前記印刷手段は、前記データのうち、少なくとも前記出力手段により出力されなかったページを記憶することを特徴とするファクシミリ装置。
【請求項２】
請求項１に記載のファクシミリ装置において、
前記特殊出力を行うべきデータの設定情報として、データの送信元または送信先のアドレス情報を受け付ける設定受付手段と、
前記設定受付手段が受け付けた設定情報を記憶する設定情報記憶手段と、
をさらに含み、
前記受信手段は、前記データの送信元または送信先のアドレスを当該データとともに受信し、
前記判定手段は、前記受信手段が受信したデータの送信元または送信先のアドレス情報が、前記設定情報記憶手段に記憶されている場合に、前記特殊出力を行うと判定することを特徴とするファクシミリ装置。
【請求項３】
請求項１に記載のファクシミリ装置において、
前記データは、当該データを特殊出力するか否かに関する情報を含み、
前記判定手段は、前記受信手段が受信したデータに、当該データを特殊出力する旨の情報が含まれるか否かに応じて、前記特殊出力を行うか否かを判定することを特徴とするファクシミリ装置。
【請求項４】
請求項１乃至３いずれかに記載のファクシミリ装置において、
前記判定手段が前記特殊出力を行うと判定した前記データに管理番号を付与する付与手段をさらに含み、
前記出力手段および前記記憶手段は、それぞれ、前記付与手段が付与した管理番号に対応付けて該当するページを出力および記憶することを特徴とするファクシミリ装置。
【請求項５】
受信したデータのうち、所定のデータのみ出力するファクシミリ装置であって、
複数のページを含むデータを受信する受信手段と、
前記受信手段が受信したデータを出力する出力手段と、
前記受信手段が受信したデータを記憶する記憶手段と、
前記受信手段が受信したデータのうち、いずれのページを前記出力手段により出力するかを判定する判定手段と、
を含み、
前記出力手段は、前記判定手段の判定に従って出力を行い、前記印刷手段は、前記データのうち、少なくとも前記出力手段により出力されなかったページを記憶することを特徴とするファクシミリ装置。
【請求項６】
請求項５に記載のファクシミリ装置において、
前記受信手段が受信した前記データに管理番号を付与する付与手段をさらに含み、
前記出力手段および前記記憶手段は、それぞれ、前記付与手段が付与した管理番号に対応付けて該当するページを出力および記憶することを特徴とするファクシミリ装置。
【請求項７】
請求項１乃至６いずれかに記載のファクシミリ装置において、
前記出力手段は、印刷手段であることを特徴とするファクシミリ装置。
【発明の詳細な説明】
【技術分野】
【０００１】
本発明は、ファクシミリ装置に関する。
【背景技術】
【０００２】
近年、ＩＳＤＮ（Integrated Services Digital Network）、ＡＤＳＬ（Asymmetry Digital Subscriber Line）、ＦＴＴＨ（Fiber to the home）等のインフラストラクチャーが整備され、低価格でインターネット等のネットワークに常時接続できるようになった。これにより、電子メールを利用してファクシミリデータを送受信可能なインターネットファクシミリが、今後、一層普及することが予想される。
【０００３】
このようなインターネットファクシミリでは、ファクシミリ装置やファクシミリ機能を有するＭＦＰ（Multi Functional Peripheral）等の情報機器は、ファクシミリデータをたとえばＳＭＴＰ（Simple Mail Transfer Protocol）やＰＯＰ（Post Office Protocol）に基づいて通信される電子メールに添付して送受信する機能を備える。
【０００４】
たとえば、特許文献１には、画情報や各種レポート等を電子メールとしてやり取りするための電子メール処理機能、および公衆網に接続し、公衆網を伝送路として用いてグループ３（Ｇ３）ファクシミリ伝送手段による画情報伝送を行う伝送機能を備えたファクシミリ装置が記載されている。
【０００５】
ところで、従来のファクシミリ装置においては、他のファクシミリ装置から送信されたファクシミリデータはすべて印刷や転送等の対象となっていた。
【特許文献１】特開２００１−７９７５号公報
【発明の開示】
【発明が解決しようとする課題】
【０００６】
しかし、他の装置から送信されたファクシミリデータの中には、印刷する必要のないものや、ユーザ端末に転送される必要のないものもある。従来、これらのファクシミリデータがすべて印刷等されていたので、紙資源が無駄づかいされたり、ユーザ端末に不要なデータが転送されてユーザが多量のデータを受け取って不便に感じるといった問題があった。
【０００７】
本発明はこうした点に鑑みてなされたもので、その目的は、他のファクシミリ装置等から送信されたファクシミリデータを必要に応じて出力する技術の提供にある。
【課題を解決するための手段】
【０００８】
本発明のファクシミリ装置は、複数のページを含むデータを受信する受信手段と、受信手段が受信したデータを出力する出力手段と、受信手段が受信したデータを記憶する記憶手段と、受信手段が受信したデータの一部のみを出力手段により出力する特殊出力を行うか否かを判定するとともに、特殊出力を行う場合に、いずれのページを出力手段により出力するかを判定する判定手段と、を含む。ここで、出力手段は、判定手段の判定に従って出力を行い、印刷手段は、データのうち、少なくとも出力手段により出力されなかったページを記憶する。
【０００９】
ここで、出力手段は、データを紙資源等に印刷する印刷手段やデータを他の端末等に転送する転送手段とすることができる。本発明によれば、特殊出力をすると判定されたデータについて、データの一部のみが出力手段により出力されるので、不要なデータを紙資源等に印刷したり、他の端末等に転送することなく、紙資源の無駄づかいを減らしたり、他の端末において、不要なデータを受信する煩わしさを低減することができる。
【００１０】
本発明のファクシミリ装置は、特殊出力を行うべきデータの設定情報として、データの送信元または送信先のアドレス情報を受け付ける設定受付手段と、設定受付手段が受け付けた設定情報を記憶する設定情報記憶手段と、をさらに含むことができ、受信手段は、データの送信元または送信先のアドレスを当該データとともに受信することができ、判定手段は、受信手段が受信したデータの送信元または送信先のアドレス情報が、設定情報記憶手段に記憶されている場合に、特殊出力を行うと判定することができる。
【００１１】
このようにすれば、たとえばある送信元からはいつも印刷等の出力が不要なデータが送信されることがわかっている場合に、予め設定しておくことにより、不要なデータの出力を防ぐことができ、無駄な出力を減らすことができる。また、同様に、ある送信先にはいつも印刷等の出力が不要なデータが送信されることがわかっている場合に、無駄な出力を減らすことができる。
【００１２】
本発明のファクシミリ装置において、データは、当該データを特殊出力するか否かに関する情報を含むことができ、判定手段は、受信手段が受信したデータに、当該データを特殊出力する旨の情報が含まれるか否かに応じて、特殊出力を行うか否かを判定することができる。
【００１３】
このようにすれば、送信元において、出力不要なデータに関する情報を記載しておくことにより、受信側で不要なデータの出力を防ぐことができる。
【００１４】
本発明のファクシミリ装置は、判定手段が特殊出力を行うと判定したデータに管理番号を付与する付与手段をさらに含むことができ、出力手段および記憶手段は、それぞれ、付与手段が付与した管理番号に対応付けて該当するページを出力および記憶することができる。
【００１５】
このようにすれば、出力手段により出力されたデータと記憶手段により記憶されたデータとが管理番号により対応づけられるので、出力されたデータをもとに、必要に応じて記憶手段から対応するデータを読み出すことができる。
【００１６】
本発明のファクシミリ装置は、受信したデータのうち、所定のデータのみ出力する。ファクシミリ装置は、複数のページを含むデータを受信する受信手段と、受信手段が受信したデータを出力する出力手段と、受信手段が受信したデータを記憶する記憶手段と、受信手段が受信したデータのうち、いずれのページを出力手段により出力するかを判定する判定手段と、を含む。ここで、出力手段は、判定手段の判定に従って出力を行い、印刷手段は、データのうち、少なくとも出力手段により出力されなかったページを記憶する。
【００１７】
本発明によれば、受信したデータのうち、必要なデータのみが出力手段により出力されるので、不要なデータを紙資源等に印刷したり、他の端末等に転送することなく、紙資源の無駄づかいを減らしたり、他の端末において、不要なデータを受信する煩わしさを低減することができる。
【００１８】
本発明のファクシミリ装置は、受信手段が受信したデータに管理番号を付与する付与手段をさらに含むことができ、出力手段および記憶手段は、それぞれ、付与手段が付与した管理番号に対応付けて該当するページを出力および記憶することができる。
【００１９】
このようにすれば、出力手段により出力されたデータと記憶手段により記憶されたデータとが管理番号により対応づけられるので、出力されたデータをもとに、必要に応じて記憶手段から対応するデータを読み出すことができる。
【００２０】
本発明のファクシミリ装置において、出力手段は、印刷手段とすることができる。出力手段が紙資源等への印刷を行う印刷手段である場合に、本発明を適用することにより、不要なデータを紙資源に印刷することを防ぐことができ、紙資源等の無駄づかいを減らすことができる。
【００２１】
なお、以上の構成要素の任意の組合せ、本発明の表現を方法、装置、システム、記録媒体、コンピュータプログラム等の間で変換したものもまた、本発明の態様として有効である。
【発明の効果】
【００２２】
本発明によれば、他のファクシミリ装置等から送信されたファクシミリデータを必要に応じて出力することができる。
【発明を実施するための最良の形態】
【００２３】
（第一の実施の形態）
図１は、本実施の形態におけるファクシミリ装置１００の構成を示すブロック図である。
ファクシミリ装置１００は、インターネットファクシミリ装置やＭＦＰ（Multi Functional Peripheral）等である。
【００２４】
ファクシミリ装置１００の各構成要素は、ハードウエアコンポーネントでいえば、任意のコンピュータのＣＰＵ、メモリ、メモリにロードされた本図の構成要素を実現するプログラム、そのプログラムを格納するハードディスク等の記憶ユニット、ネットワーク接続用インターフェース、ファクシミリ通信用モデム等を中心に実現されるが、その実現方法、装置にはいろいろな変形例があることは、当業者には理解されるところである。これから説明する各図は、ハードウエア単位の構成ではなく、機能単位のブロックを示している。
【００２５】
本実施の形態において、ファクシミリ装置１００は、他のファクシミリ装置等から送信されたファクシミリデータを受信した際に、すべてのページを印刷するのではなく、必要なページのみを印刷し、それ以外のページは印刷せずに、データ記憶部１１２に記憶しておく。これにより、不要なページを印刷することなく、紙資源等の無駄づかいを減らすことができる。また、印刷されなかったページもデータ記憶部１１２にされるので、後に必要に応じて読み出したり印刷したりすることができる。
【００２６】
受信部１０２は、他のファクシミリ装置等からファクシミリデータを受信する。受信部１０２は、たとえば、ＰＳＴＮ（公衆交換電話網）やインターネット等のネットワークを介して他のファクシミリ装置等からファクシミリデータを受信する。
【００２７】
判定部１０４は、受信部１０２が受信したファクシミリデータについて、全ページ印刷するか（通常出力）、所定のページのみを印刷するか（特殊出力）の判定を行う。判定部１０４は、たとえば、ファクシミリデータの送信元のアドレスに応じて特殊出力を行うか否かを判定することができる。また、判定部１０４は、ファクシミリデータの送信先のアドレスに応じて特殊出力を行うか否かを判定することができる。ユーザ１２０は、予め特殊出力を行う送信元や送信先に関する設定情報を入力しておくことができる。ユーザ１２０は、たとえば、ある送信元からいつも最初のページに原稿全体の要約が付され、その要約に添付して原稿本体が送られてくるような場合、最初のページだけを印刷し、他のページをデータ記憶部１１２に記憶しておくよう設定することができる。設定受付部１０６は、ユーザからの設定を受け付ける。設定情報記憶部１０８は、設定受付部１０６が受け付けた設定情報を記憶する。判定部１０４は、設定情報記憶部１０８を参照して通常出力を行うか、特殊出力を行うかを判定する。
【００２８】
図２は、設定情報記憶部１０８のデータ構造を示す図である。設定情報記憶部１０８は、アドレス欄と、種類欄と、印刷ページ欄と、記憶欄とを含む。ここで、アドレス欄には、特殊出力を行う対象の送信元または送信先のアドレスが書き込まれる。種類欄には、アドレス欄に記載されたアドレスが送信元のアドレスか、送信先のアドレスか等の種類が書き込まれる。ここで、たとえば種類欄に「送信元」と記載されているときには、送信元のアドレスに応じて通常印刷するか特殊印刷するかが判定される。また、種類欄に「送信先」と記載されているときには、送信先のアドレスに応じて通常印刷するか特殊印刷するかが判定される。印刷ページ欄には、受信部１０２が受信したファクシミリデータのうち、印刷すべきページが書き込まれる。記憶欄には、データ記憶部１１２に記憶すべきページが書き込まれる。
【００２９】
たとえば、図２に示した例においては、送信元のアドレスが「ａａａ＠ｂｃ．ｄｅ．ｊｐ」であるファクシミリデータについて、１−２ページのみ印刷し、全ページを記憶するように設定されている。また、送信先のアドレスが「ａｂｃ＠ｄｅ．ｆｇ．ｊｐ」であるファクシミリデータについて、１−３ページのみ印刷し、４ページ以降を記憶するように設定されている。記憶欄に記憶すべきページが記載されていない場合、書込処理部１１０は、少なくとも印刷処理部１１４により印刷されないページのデータをデータ記憶部１１２に書き込む。
【００３０】
なお、ここではアドレスとして電子メールアドレスを示したが、送信元のアドレスとしては、ＴＳＩ（送信端末識別信号）、ＣａｌｌｅｒＩＤ、Ｆ−ＣＯＤＥ等を設定しておくこともできる。
【００３１】
図１に戻り、管理番号付与部１０５は、判定部１０４が特殊出力を行うと判定した場合、受信部１０２が受信したファクシミリデータに管理番号を付与する。
【００３２】
書込処理部１１０は、判定部１０４が特殊出力を行うと判定した場合、設定情報記憶部１０８で記憶するよう設定されたページのデータを管理番号付与部１０５により付与された管理番号に対応付けてデータ記憶部１１２に書き込む。
【００３３】
印刷処理部１１４は、印刷処理を行う。判定部１０４により通常出力が行われると判定された場合、印刷処理部１１４は、受信部１０２が受信したファクシミリデータを全ページ印刷する。また、判定部１０４により特殊出力が行われると判定された場合、印刷処理部１１４は、設定情報記憶部１０８に記憶された設定情報に基づき、印刷するよう設定されたページの印刷を行う。このとき、印刷処理部１１４は、管理番号付与部１０５により付与された管理番号を付して印刷を行う。これにより、印刷処理部１１４により印刷されたファクシミリデータと、データ記憶部１１２に記憶されたファクシミリデータとを対応付けることができる。
【００３４】
図３は、本実施の形態におけるファクシミリ装置１００の処理手順を示すフローチャートである。
まず、受信部１０２がファクシミリデータを受信すると（Ｓ１０）、判定部１０４は、そのファクシミリデータの送信元または送信先のアドレスに基づき、設定情報記憶部１０８を参照して、特殊出力の設定がされているか否かを判定する（Ｓ１２）。特殊出力の設定がされていないと判定された場合（Ｓ１２のＮＯ）、ステップＳ１８に進み、印刷処理部１１４は、すべてのページを印刷する。一方、ステップＳ１２において、特殊出力の設定がされていると判定された場合（Ｓ１２のＹＥＳ）、管理番号付与部１０５は、そのファクシミリデータに管理番号を付与する（Ｓ１４）。その後、書込処理部１１０は、データ記憶部１１２に記憶すると設定されているページのファクシミリデータを管理番号に対応付けてデータ記憶部１１２に記憶する（Ｓ１６）。次いで、印刷処理部１１４は、印刷すると設定されているページのファクシミリデータを管理番号とともに印刷する（Ｓ１８）。
【００３５】
本実施の形態におけるファクシミリ装置１００によれば、予め設定された情報にしたがい、必要なページのみが印刷されるので、印刷不要なページを印刷することなく、紙資源等の無駄づかいを減らすことができる。また、印刷されなかったページは、予め設定された情報に従ってデータ記憶部１１２に記憶されるので、後に必要に応じて読み出したり印刷したりすることができる。また、印刷されたページおよびデータ記憶部１１２に記憶されたページには共通の管理番号が付されるので、ユーザは、印刷されたページに付された管理番号に基づき、印刷されなかったページの情報をデータ記憶部１１２から必要に応じて容易に探し出すことができる。
【００３６】
（第二の実施の形態）
本実施の形態において、特殊出力をするファクシミリデータの送信者は、たとえばトップページの所定の位置に特殊出力用の原稿であることを示す所定のマークを付加してファクシミリデータを送信する。本実施の形態におけるファクシミリ装置１００は、受信したファクシミリデータの所定の位置に所定のマークが含まれるか否かにより、特殊出力をするか、通常出力をするかを判定する。
【００３７】
本実施の形態において、ファクシミリ装置１００は、第一の実施の形態において図１を参照して説明したのと同様の構成要素を含む。ここで、ファクシミリ装置１００は、設定受付部１０６および設定情報記憶部１０８を含まない構成とすることができる。以下、図１を参照して説明する。
【００３８】
判定部１０４は、受信部１０２が受信したファクシミリデータのトップページに所定のマークが含まれるか否かを検出し、所定のマークが含まれる場合、そのファクシミリデータを特殊出力すると判定する。
【００３９】
図４は、本実施の形態における特殊出力用のファクシミリデータのトップページの原稿を示す図である。原稿２００には、判定用欄２０２と、印刷チェック欄２０４と、記憶チェック欄２０６が設けられる。なお、印刷チェック欄２０４および記憶チェック欄２０６は、すべてのページに設けられる。判定部１０４は、原稿２００の判定用欄２０２を参照し、この欄に所定のマークが含まれる場合に、そのファクシミリデータを特殊出力すると判定する。この場合、判定部１０４は、印刷チェック欄２０４と記憶チェック欄２０６を参照し、印刷チェック欄２０４にチェックがされている原稿を印刷し、記憶チェック欄２０６にチェックがされている原稿をデータ記憶部１１２に記憶するよう書込処理部１１０および印刷処理部１１４に指示を行う。
【００４０】
また、他の例として、ファクシミリ装置１００は、ＯＣＲ機能を含むこともできる。この場合、特殊出力をするファクシミリデータの送信者は、たとえばトップページの所定の位置に特殊出力用の原稿であることを示す所定のマークとともに、印刷するページと記憶するページに関する情報を記載しておく。ファクシミリ装置１００は、ＯＣＲ機能により、これらの情報を読み出す。判定部１０４は、読み出された情報に基づき、書込処理部１１０および印刷処理部１１４に指示を行う。このようにすれば、すべてのページに印刷チェックおよび記憶チェックを設けることなく、必要なページのみを印刷および記憶することができる。
【００４１】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４２】
以上の実施の形態においては、判定部１０４が、受信部１０２が受信したファクシミリデータのすべてを印刷処理部１１４により印刷するか否かの判定を行う形態を説明したが、判定部１０４は印刷以外の出力を行うか否かを判定するようにすることもできる。たとえば、ファクシミリ装置１００は、ＬＡＮ等のネットワークを介してユーザ１２０のユーザ端末と接続され、受信したファクシミリデータをユーザ端末に転送する構成とすることもできる。この場合、判定部１０４は、受信部１０２が受信したファクシミリデータのすべてをユーザ端末に転送するか否かを判定することができる。この場合も、必要なデータのみをユーザ端末に転送することにより、ユーザが不要なデータを受け取ることなく、ユーザの利便性を図ることができる。
【００４３】
また、以上の実施の形態において、書込処理部１１０は、管理番号付与部１０５により付与された管理番号に対応付けてデータをデータ記憶部１１２に記憶するとして説明したが、書込処理部１１０は、予め設定された情報に基づき、データを管理番号に対応付けずにデータ記憶部１１２に記憶することもできる。この場合、設定受付部１０６は、データ記憶部１１２への記憶方法に関する設定を受け付けることができる。たとえば、印刷処理部１１４により印刷されたページとデータ記憶部１１２に記憶されたページのいずれかに個人情報が含まれ、これらを他のページの情報と対応づけたくない場合等、管理番号を付さずに印刷および記憶をすることもできる。
【００４４】
以上の例では、判定部１０４が特殊出力を行うか通常出力を行うかを判定するとして説明したが、ファクシミリ装置１００は、特殊出力を行う専用の装置とすることもできる。この場合、設定受付部１０６は、印刷処理部１１４により印刷するページおよびデータ記憶部１１２に記憶するページに関する情報の設定のみを受け付け、設定情報記憶部１０８に記憶する。判定部１０４は、設定情報記憶部１０８を参照して、印刷するページおよび記憶するページを判定する。
【産業上の利用可能性】
【００４５】
本発明にかかるファクシミリ装置は、出力等が必要なデータのみ出力し、不要な出力を防ぐという効果を有し、ファクシミリ装置として有用である。
【図面の簡単な説明】
【００４６】
【図１】本発明の実施の形態におけるファクシミリ装置の構成を示すブロック図である。
【図２】設定情報記憶部のデータ構造を示す図である。
【図３】本発明の実施の形態におけるファクシミリ装置の処理手順を示すフローチャートである。
【図４】本発明の実施の形態における特殊出力用のファクシミリデータのトップページの原稿を示す図である。
【符号の説明】
【００４７】
１００  ファクシミリ装置
１０２  受信部
１０４  判定部
１０６  設定受付部
１０８  設定情報記憶部
１１０  書込処理部
１１２  データ記憶部
１１４  印刷処理部
【図１】
2005210511.tif 000003
【図２】
2005210511.tif 000004
【図３】
2005210511.tif 000005
【図４】
2005210511.tif 000006